(57)【要約】【課題】複数のＨＤＭＩ端子に所定の帯域以上の信号が同時に入力された場合でも、良好な映像を表示することができる電子機器を提供することである。【解決手段】実施の形態の電子機器は、複数の通信インターフェースと、切替部と、制御部と、を備える。複数の通信インターフェースは、複数のソース機器からの信号がそれぞれ入力される。切替部は、複数の通信インターフェースのそれぞれに入力された信号を、切替制御信号に基づいて、いずれか１つを選択して出力する。制御部は、複数の通信インターフェースの全てに信号が入力されている際に、切替部で選択されている信号が所定の帯域以上の信号の場合、選択部で選択されていない信号のうち、いずれか１つの信号が切替部に入力されないように制限する。【選択図】図２
2014204389.tif 000002
【特許請求の範囲】
【請求項１】
複数のソース機器からの信号がそれぞれ入力される複数の通信インターフェースと、
前記複数の通信インターフェースのそれぞれに入力された前記信号を、切替制御信号に基づいて、いずれか１つを選択して出力する切替部と、
前記複数の通信インターフェースの全てに前記信号が入力されている際に、前記切替部で選択されている信号が所定の帯域以上の信号の場合、前記選択部で選択されていない信号のうち、いずれか１つの信号が前記切替部に入力されないように制限する制御部と、
を備えたことを特徴とする電子機器。
【請求項２】
前記制御部は、前記選択された信号が前記所定の帯域より低い場合、前記複数の通信インターフェースのそれぞれに入力された前記信号を前記切替部に全て入力するように制御することを特徴とする請求項１に記載の電子機器。
【請求項３】
前記制御部は、前記切替部に前記入力されないように制限された信号を選択するための前記選択信号が入力された場合、前記選択されている信号を前記切替部に入力されないように制限した後、新たに選択された信号を前記切替部に入力するように制御することを特徴とする請求項１に記載の電子機器。
【発明の詳細な説明】
【技術分野】
【０００１】
本発明の実施の形態は、電子機器に関する。
【背景技術】
【０００２】
従来、テレビジョン装置等の電子機器は、ＤＶＤプレーややゲーム機等の外部機器からの信号を入力することができる複数の入力ポート、例えば複数のＨＤＭＩ端子を備えている。この電子機器では、複数のＨＤＭＩ端子に映像信号等が同時に入力されている場合、ユーザの選択情報に基づいて、映像信号の切り替えを行い、ＬＣＤ等の表示部に映像を表示するようにしている。
【０００３】
近年では、このような電子機器として、フルハイビジョンの４倍の画素数を有し、高精細な映像を表示することができる４Ｋテレビが開発されている。この電子機器では、複数のＨＤＭＩ端子に所定の帯域以上の信号が同時に入力されることがある。
【０００４】
しかしながら、この電子機器において、複数のＨＤＭＩ端子に所定の帯域以上の信号、具体的には、４Ｋ信号等のピクセルクロックの高い周波数の信号が同時に入力された場合、映像信号にノイズが乗り、映像が不安定になるという問題がある。
【先行技術文献】
【特許文献】
【０００５】
【特許文献１】特開２００９−１４１６４２号公報
【発明の概要】
【発明が解決しようとする課題】
【０００６】
本発明の実施の形態の課題は、複数のＨＤＭＩ端子に所定の帯域以上の信号が同時に入力された場合でも、良好な映像を表示することができる電子機器を提供することである。
【課題を解決するための手段】
【０００７】
実施の形態の電子機器は、複数の通信インターフェースと、切替部と、制御部と、を備える。複数の通信インターフェースは、複数のソース機器からの信号がそれぞれ入力される。切替部は、複数の通信インターフェースのそれぞれに入力された信号を、切替制御信号に基づいて、いずれか１つを選択して出力する。制御部は、複数の通信インターフェースの全てに信号が入力されている際に、切替部で選択されている信号が所定の帯域以上の信号の場合、選択部で選択されていない信号のうち、いずれか１つの信号が切替部に入力されないように制限する。
【図面の簡単な説明】
【０００８】
【図１】本実施の形態に係る電子機器を含む電子機器システムの構成を示す図である。
【図２】電子機器１の詳細な構成を説明するためのブロック図である。
【図３】ＨＤＭＩ端子１８ａの構成について説明するための図である。
【図４】電子機器１における入力制限の制御の例を説明するためのフローチャートである。
【図５】ＨＤＭＩ端子１８ａ〜１８ｄから入力される信号の切り替え処理の流れの例について説明するためのフローチャートである。
【発明を実施するための形態】
【０００９】
以下、図面を参照して本発明の実施の形態について詳細に説明する。
【００１０】
まず、図１から図３に基づき、一実施の形態に係る電子機器の構成について説明する。
【００１１】
図１は、本実施の形態に係る電子機器を含む電子機器システムの構成を示す図である。
【００１２】
図１に示すように、電子機器システム１００は、複数、ここでは４つの外部機器２ａ、２ｂ、２ｃ及び２ｄが本実施の形態の電子機器１と接続されて構成されている。電子機器１は、例えば、フルハイビジョンの４倍の画素数を有し、高精細な映像を表示することができる４Ｋテレビであり、接続されている外部機器２ａ〜２ｄから映像信号や音声信号等が入力される。なお、電子機器１は、後述する複数のＨＤＭＩ端子１８ａ〜１８ｄ（図２参照）を備える機器であればよく、４Ｋテレビに限定されるものではない。
【００１３】
外部機器２ａ〜２ｄは、４Ｋ信号等の所定の帯域以上の信号を出力することができる機器であり、例えば、ＤＶＤプレーヤ、ゲーム機、携帯情報端末及びパーソナルコンピュータ等である。これらの外部機器２ａ〜２ｄは、それぞれＨＤＭＩ端子３ａ〜３ｄを備えている。これらのＨＤＭＩ端子３ａ〜３ｄには、それぞれＨＤＭＩケーブル４ａ〜４ｄの一端が接続される。ＨＤＭＩケーブル４ａ〜４ｄの他端は、それぞれ後述する電子機器１のＨＤＭＩ端子１８ａ〜１８ｄに接続される。
【００１４】
図２は、電子機器１の詳細な構成を説明するためのブロック図である。
【００１５】
図２に示すように、電子機器１は、アンテナ１１と、チューナ１２と、制御部１３と、映像信号処理部１４と、表示部１５と、音声信号処理部１６と、音声出力部１７と、複数、ここでは、４つのＨＤＭＩ端子１８ａ〜１８ｄと、切替部１９とを備えて構成されている。
【００１６】
アンテナ１１は、デジタル放送信号を受信し、受信したデジタル放送信号をチューナ１２に供給する。チューナ１２は、供給されたデジタル放送信号からユーザに指定されたチャンネルを選局し、選局したデジタル放送信号を制御部１３に出力する。このデジタル放送信号の選局は、例えばユーザがリモートコントローラ（以下、リモコンという）２０を操作し、制御部１３からチューナ１２に選局信号が出力されることで行われる。
【００１７】
制御部１３は、チューナ１２で選局されたチャンネルのデジタル放送信号を復号して、映像表示用の映像信号及び音声出力用の音声信号を生成する。そして、制御部１３は、生成した映像信号及び音声信号をそれぞれ映像信号処理部１４及び音声信号処理部１６に出力する。
【００１８】
映像信号処理部１４は、入力された映像信号に所定の映像処理を施し、ＬＣＤ等により構成される表示部１５に出力する。表示部１５は、映像信号処理部１４から出力される映像信号を表示する。
【００１９】
音声信号処理部１６は、入力された音声信号に所定の音声処理を施し、スピーカ等により構成される音声出力部１７に出力する。音声出力部１７は、音声信号処理部１６から出力される音声信号に基づき音声の再生を行う。
【００２０】
通信インターフェースとしてのＨＤＭＩ端子１８ａ〜１８ｄには、上述したように、それぞれＨＤＭＩケーブル４ａ〜４ｄに接続されているソース機器としての外部機器２ａ〜２ｄからの信号が入力される。入力される信号は、実行されるソフト等に応じて、所定の帯域以上の信号、あるいは、所定の帯域より低い信号である。なお、以下の説明では、所定の帯域以上の信号を４Ｋ信号として説明するが、所定の帯域以上の信号であれば、４Ｋ信号に限定されるものではない。
【００２１】
ＨＤＭＩ端子１８ａ〜１８ｄに入力された信号は、切替部１９に入力される。切替部１９は、制御部１３からの切替制御信号に基づいて、入力された信号から１つを選択して制御部１３に出力する。この切替制御信号は、ユーザがリモコン２０を操作して、外部機器２ａ〜２ｄのいずれかから入力される信号を選択することで、制御部１３から切替部１９に出力される。
【００２２】
制御部１３は、入力された信号のうち、映像信号及び音声信号により構成されるＴＭＤＳを復号し、復号された映像信号及び音声信号をそれぞれ映像信号処理部１４及び音声信号処理部１６に出力する。これにより、映像信号処理部１４により所定の映像処理が施された映像が表示部１５に表示され、音声信号処理部１６により所定の音声処理が施された音声が音声出力部１７から出力される。
【００２３】
本実施の形態の電子機器１は、外部機器２ａ〜２ｄの電源が全てＯＮになっており、これらの外部機器２ａ〜２ｄからの４Ｋ信号がＨＤＭＩ端子１８ａ〜１８ｄに同時に入力されている場合、映像信号にノイズが乗り、映像が不安定なる。すなわち、電子機器１は、外部機器２ａ、２ｂ及び２ｃの電源がＯＮで、外部機器２ａ〜２ｃからの４Ｋ信号がＨＤＭＩ端子１８ａ〜１８ｃに入力されている場合、映像は不安定にならない。また、電子機器１は、外部機器２ａ〜２ｄの電源が全てＯＮでも、例えば、外部機器２ａ〜２ｃから４Ｋ信号が出力され、外部機器２ｄから所定の帯域より低い信号が出力されている場合、映映像は不安定にならない。そのため、本実施の形態の電子機器１は、外部機器２ａ〜２ｄからの４Ｋ信号がＨＤＭＩ端子１８ａ〜１８ｄに同時に入力されている場合に、後述するように、外部機器２ａ〜２ｄのいずれかの信号の入力制限を行う。
【００２４】
ここで、ＨＤＭＩ端子１８ａ〜１８ｄの構成について説明する。なお、ＨＤＭＩ端子１８ａ〜１８ｄは、同様の構成のため、代表してＨＤＭＩ端子１８ａを例に説明する。図３は、ＨＤＭＩ端子１８ａの構成について説明するための図である。
【００２５】
ＨＤＭＩ端子１８ａは、１９個のピンＰ１〜Ｐ１９から構成される標準タイプのＨＤＭＩ端子である。ピンＰ１〜Ｐ１２は、映像信号及び音声信号により構成されるＴＭＤＳ用のピンである。また、ピンＰ１８は、＋５Ｖ電源用のピンであり、ピンＰ１９は、ホットプラグ検出用のピンである。本実施の形態の電子機器１は、ピンＰ１〜Ｐ１２からのＴＭＤＳ、ピンＰ１８からの＋５Ｖ電源、及び、ピンＰ１９からのホットプラグ検出の信号を用いて入力制限を行っている。
【００２６】
まず、制御部１３は、ＨＤＭＩ端子１８ａ〜１８ｄのホットプラグ検出をＬＯＷにし、かつ、ＴＭＤＳのターミネーションをＯＦＦにする。ホットプラグ検出をＬＯＷにすることにより、外部機器２ａ〜２ｄは、電子機器１に接続されていない状態と認識するが、電子機器１に接続されていない状態と認識している場合でも、外部機器２ａ〜２ｄは、ＴＭＤＳを出力することがある。そのため、制御部１３は、ＴＭＤＳのターミネーションをＯＦＦにしている。
【００２７】
このＴＭＤＳのターミネーションのＯＦＦとは、外部機器２ａ〜２ｄからのＴＭＤＳを切替部１９に入力されないようにすることである。具体的には、制御部１３は、ＨＤＭＩ端子１８ａのＴＭＤＳのターミネーションをＯＦＦにする場合、ＨＤＭＩ端子１８ａと切替部１９との間の信号ラインの電位を制御する。より具体的には、制御部１３は、ＨＤＭＩ端子１８ａと切替部１９との間の信号ラインの電位をハイインピーダンスにすることで、外部機器２ａからのＴＭＤＳが切替部１９に入力されないようにする。
【００２８】
次に、制御部１３は、＋５Ｖ電源がＯＮかＯＦＦを検出する。外部機器２ａ〜２ｄの電源がＯＮの場合、＋５Ｖ電源がＯＮとなる。そのため、制御部１３は、ＨＤＭＩ端子１８ａ〜１８ｄの＋５Ｖ電源がＯＮになっているか否かを検出することで、外部機器２ａ〜２ｄから信号が入力されているか否かを検出する。
【００２９】
制御部１３は、外部機器２ａ〜２ｄのうち電源がＯＮになっている外部機器が３つ以下の場合、＋５Ｖ電源がＯＮなっているＨＤＭＩ端子のみ、ホットプラグ検出をＨＩＧＨ、かつ、ＴＭＤＳのターミネーションをＯＮにする。これにより、３つ以下の信号が切替部１９に入力されることになる。また、電源がＯＦＦの外部機器がＯＮされた場合でも、ＴＭＤＳのターミネーションがＯＦＦとなっているため、４つの４Ｋ信号が同時に入力されることがない。
【００３０】
また、制御部１３は、外部機器２ａ〜２ｄの電源が全てＯＮになっている場合、非選択のＨＤＭＩ端子のうち１つのＨＤＭＩ端子のホットプラグ検出をＬＯＷ、かつ、ＴＭＤＳのターミネーションをＯＦＦし、他の３つのＨＤＭＩ端子のホットプラグ検出をＨＩＧＨ、かつ、ＴＭＤＳのターミネーションをＯＮする。ここで、非選択のＨＤＭＩ端子とは、実際に表示部１５に映像が表示されている信号を出力していない外部機器が接続されているＨＤＭＩ端子のことである。すなわち、外部機器２ａからの信号が切替部１９で選択され、表示部１５に映像が表示されている場合、選択されているＨＤＭＩ端子は、ＨＤＭＩ端子１８ａとなり、非選択のＨＤＭＩ端子は、ＨＤＭＩ端子１８ｂ、１８ｃ及び１８ｄとなる。この場合、非選択のＨＤＭＩ端子１８ｂ〜１８ｄのいずれか１つ、例えば、ＨＤＭＩ端子１８ｄのホットプラグ検出をＬＯＷ、かつ、ＴＭＤＳのターミネーションをＯＦＦする。そして、他の３つのＨＤＭＩ端子１８ａ〜１８ｃのホットプラグ検出をＨＩＧＨ、かつ、ＴＭＤＳのターミネーションをＯＮする。
【００３１】
ここで、制御部１３は、現在選択されている信号が４Ｋ信号ではなく、所定の帯域より低い信号の場合、全てのＨＤＭＩ端子１８ａ〜１８ｄのホットプラグ検出をＨＩＧＨ、かつ、ＴＭＤＳのターミネーションをＯＮする。すなわち、現在選択されているＨＤＭＩ端子１８ａから入力される信号が所定の帯域より低い場合、他のＨＤＭＩ端子１８ｂ〜１８ｄから入力される信号が４Ｋ信号であっても、映像に不具合は生じない。そのため、上述したＨＤＭＩ端子１８ｄのホットプラグ検出をＨＩＧＨ、かつ、ＴＭＤＳのターミネーションをＯＮする。
【００３２】
一方、制御部１３は、現在選択されている信号が４Ｋ信号の場合、ＨＤＭＩ端子１８ｂ〜１８ｄから入力される信号の種類によっては、映像に不具合が生じる可能性がある。すなわち、ＨＤＭＩ端子１８ｂ〜１８ｄから入力される信号が全て４Ｋ信号の場合、映像に不具合が生じる可能性がある。そのため、上述したＨＤＭＩ端子１８ｄのホットプラグ検出をＬＯＷ、かつ、ＴＭＤＳのターミネーションをＯＦＦのままにする。これにより、電子機器１の切替部１９に４つの４Ｋ信号が同時に入力されることがなくなる。
【００３３】
ここで、ＨＤＭＩ端子１８ａ〜１８ｄから入力される４Ｋ信号の切り替えについて説明する。
【００３４】
この説明では、ＨＤＭＩ端子１８ａ〜１８ｄに信号が入力されており、現在選択されているＨＤＭＩ端子がＨＤＭＩ端子１８ａとする。また、非選択のＨＤＭＩ端子１８ｂ〜１８ｄのうち、ＨＤＭＩ端子１８ｂ及び１８ｃが入力制限されておらず、ＨＤＭＩ端子１８ｄが入力制限されているものとする。
【００３５】
まず、制御部１３は、ＨＤＭＩ端子１８ａから入力制限がされていないＨＤＭＩ端子１８ｂまたは１８ｃに切り替える場合、切替制御信号を切替部１９に出力し、ＨＤＭＩ端子１８ｂまたは１８ｃからの入力にそのまま切り替える。このような場合、ＨＤＭＩ端子の切替速度を向上させることができるInstaPort機能を用いて、入力切替を高速に行うことができる。
【００３６】
一方、制御部１３は、ＨＤＭＩ端子１８ａから入力制限がされているＨＤＭＩ端子１８ｄに切り替える場合、ＨＤＭＩ端子１８ａの入力制限を行った後、ＨＤＭＩ端子１８ｄの入力制限を解除する。すなわち、制御部１３は、ＨＤＭＩ端子１８ａのホットプラグ検出をＬＯＷ、かつ、ＴＭＤＳのターミネーションをＯＦＦした後、ＨＤＭＩ端子１８ｄのホットプラグ検出をＨＩＧＨ、かつ、ＴＭＤＳのターミネーションをＯＮする。これにより、４つの４Ｋ信号が切替部１９に一瞬でも入力されることを防止している。
【００３７】
次に、このように構成された電子機器１の動作について説明する。
【００３８】
図４は、電子機器１における入力制限の制御の例を説明するためのフローチャートである。
【００３９】
まず、全てのＨＤＭＩ端子１８ａ〜１８ｄのホットプラグ検出をＬＯＷ、かつ、ＴＭＤＳをＯＦＦにする（ステップＳ１）。次に、全てのＨＤＭＩ端子１８ａ〜１８ｄの＋５Ｖ電源をチェックし（ステップＳ２）、全ての＋５Ｖ電源がＯＮか否かが判定される（ステップＳ３）。全ての＋５Ｖ電源がＯＮでないと判定された場合、ＮＯとなり、ＨＤＭＩ端子１８ａ〜１８ｄのうち、＋５Ｖ電源がＯＮのＨＤＭＩ端子のみ、ホットプラグ検出をＨＩＧＨ、かつ、ＴＭＤＳのターミネーションをＯＮにし（ステップＳ４）、処理を終了する。
【００４０】
一方、全ての＋５Ｖ電源ＯＮと判定された場合、ＹＥＳとなり、非選択のＨＤＭＩ端子のうち１つのＨＤＭＩ端子のみホットプラグ検出をＬＯＷ、かつ、ＴＭＤＳのターミネーションをＯＦＦし（ステップＳ５）、他のＨＤＭＩ端子のホットプラグ検出をＨＩＧＨ、かつ、ＴＭＤＳのターミネーションをＯＮにする（ステップＳ６）。
【００４１】
具体的には、外部機器２ａからの入力が選択されている場合、非選択の外部機器２ｂ、２ｃ及び２ｄからの入力の１つをＯＦＦにする。例えば、非選択の外部機器２ｂ、２ｃ及び２ｄのうち、外部機器２ｄからの入力をＯＦＦ（ホットプラグ検出をＬＯＷ、ＴＭＤＳのターミネーションをＯＦＦ）し、外部機器２ａ〜２ｃからの入力をＯＮ（ホットプラグ検出をＨＩＧＨ、ＴＭＤＳのターミネーションをＯＮ）する。これにより、４つの４Ｋ信号が同時に入力されることを防いでいる。
【００４２】
次に、選択されたＨＤＭＩ端子に入力されている信号が所定の帯域以上か否かが判定される（ステップＳ７）。選択されたＨＤＭＩ端子に入力されている信号が所定の帯域以上と判定された場合、ＹＥＳとなり、処理を終了する。一方、選択されたＨＤＭＩ端子に入力されている信号が所定の帯域以上でないと判定された場合、ＮＯとなり、全てのＨＤＭＩ端子のポットプラグ検出をＨＩＧＨ、かつ、ＴＭＤＳのターミネーションをＯＮし（ステップＳ８）、処理を終了する。
【００４３】
具体的には、外部機器２ａからの入力が選択されている場合、ＨＤＭＩ端子１８ａに入力されている信号が４Ｋ信号か否かが判定され、入力されている信号が４Ｋ信号の場合は、何も処理を実行しない。一方、入力されている信号が４Ｋ信号でない場合、入力を制限している外部機器２ｄからの信号を入力した場合でも、全てのＨＤＭＩ端子１８ａ〜１８ｄに４Ｋ信号が入力されることがないため、全てのＨＤＭＩ端子１８ａ〜１８ｄからの入力を有効にしている。
【００４４】
次に、ＨＤＭＩ端子１８ａ〜１８ｄから入力される信号の切り替えに処理について説明する。
【００４５】
図５は、ＨＤＭＩ端子１８ａ〜１８ｄから入力される信号の切り替え処理の流れの例について説明するためのフローチャートである。
【００４６】
まず、入力信号の切り替えがあるか否かが判定される（ステップＳ１１）。入力信号の切り替えがないと判定された場合、ＮＯとなり、ステップＳ１１に戻り、同様の処理を繰り返す。一方、入力信号の切り替えがあると判定された場合、ＹＥＳとなり、入力制限されているＨＤＭＩ端子からの入力が選択されたか否かが判定される（ステップＳ１２）。入力制限されているＨＤＭＩ端子からの入力が選択されていないと判定された場合、ＮＯとなり、選択されたＨＤＭＩ端子からの入力に切り替え（ステップＳ１３）、処理を終了する。一方、入力制限されているＨＤＭＩ端子からの入力が選択されたと判定された場合、ＹＥＳとなり、現在選択されているＨＤＭＩ端子を入力制限した後、新たに選択されたＨＤＭＩ端子の入力制限を解除し（ステップＳ１４）、処理を終了する。
【００４７】
以上のように、電子機器１は、制御部１３により複数のＨＤＭＩ端子１８ａ〜１８ｄに信号が入力されているか否かを検出し、複数のＨＤＭＩ端子１８ａ〜１８ｄに信号が入力されている場合、非選択のＨＤＭＩ端子のうち、１つのＨＤＭＩ端子からの入力を制限するようにした。この結果、電子機器１は、複数の外部機器２ａ〜２ｄから所定の帯域以上の信号が入力されている場合でも、全てのＨＤＭＩ端子１８ａから１８ｄから所定の帯域以上の信号が同時に入力されることがなくなり、映像の不具合が生じなくなる。
【００４８】
よって、本実施の形態の電子機器によれば、複数のＨＤＭＩ端子に所定の帯域以上の信号が同時に入力された場合でも、良好な映像を表示することができる。
【００４９】
なお、本実施の形態の電子機器１は、４つのＨＤＭＩ端子１８ａ〜１８ｄを有する構成であるが、これに限定されることなく、例えば、３つ以下あるいは５つ以上のＨＤＭＩ端子を有する構成であってもよい。また、本実施の形態の電子機器１は、４つのＨＤＭＩ端子１８ａ〜１８ｄに４Ｋ信号が同時に入力された場合、入力制限を行うようにしているが、これに限定されるものではない。例えば、電子機器１が６つのＨＤＭＩ端子を有しており、６つのＨＤＭＩ端子のうち５つのＨＤＭＩ端子に所定の帯域以上の信号が同時に入力された場合に映像に不具合が生じる場合、同時に入力できる４Ｋ信号を４つまでに制限するようにすればよい。
【００５０】
なお、本明細書における各フローチャート中の各ステップは、その性質に反しない限り、実行順序を変更し、複数同時に実行し、あるいは実行毎に異なった順序で実行してもよい。
【００５１】
本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００５２】
１…電子機器、２ａ〜２ｄ…外部機器、３ａ〜３ｄ，１８ａ〜１８ｄ…ＨＤＭＩ端子、４ａ〜４ｄ…ＨＤＭＩケーブル、１１…アンテナ、１２…チューナ、１３…制御部、１４…映像信号処理部、１５…表示部、１６…音声信号処理部、１７…音声出力部、１９…切替部、２０…リモコン。
【図１】
2014204389.tif 000003
【図２】
2014204389.tif 000004
【図３】
2014204389.tif 000005
【図４】
2014204389.tif 000006
【図５】
2014204389.tif 000007